(57)【特許請求の範囲】
【請求項１】
上方に開口する有底箱状の容器本体の内部空間を仕切るゴミ容器の仕切板であって、
複数の分割体に分割構成され、各分割体は、連結部によって上下方向に連結可能に構成されているとともに係止部及び被係止部によって該分割体の厚み方向に重ね合わせた状態で係止可能に構成されているゴミ容器の仕切板。
【請求項２】
上方に開口する有底箱状の容器本体と、前記容器本体の内部空間を仕切る仕切板と、前記容器本体の開口を開閉可能にする蓋体とを備えたゴミ容器であって、
前記仕切り板は複数の分割体に分割構成され、各分割体は、連結部によって上下方向に連結可能に構成されているとともに係止部及び被係止部によって該分割体の厚み方向に重ね合わせた状態で係止可能に構成されており、
前記蓋体の裏面には、重ね合わせて係止した状態の各分割体を収容できる裏面収容部を設け、前記蓋体には、前記裏面収容部に収容した各分割体を前記裏面収容部内に拘束する抜け出し規制部材を取り付けたゴミ容器。
【発明の詳細な説明】
【０００１】
【発明の属する技術分野】
この発明は、ゴミを収容可能な容器本体の内部空間を仕切るゴミ容器の仕切板、及びその仕切板を備えたゴミ容器に関するものである。
【０００２】
【従来の技術】
従来より、上部に開口を有する容器本体をゴミ容器として使用し、その容器本体内にゴミを分別して収容するために、容器本体内にはその内部空間を仕切る仕切板が取り付けられている。この仕切板は容器本体の一側壁とほぼ同じ形状に形成されている。また、容器本体をその内部空間を仕切らずに使用する場合は、前記仕切板を容器本体内から取り外している。
【０００３】
【発明が解決しようとする課題】
ところが、従来のゴミ容器の仕切板において、その形状は容器本体の一側壁とほぼ同じ形状に形成されている。そのため、容器本体内から仕切板を取り外し、例えば倉庫内に収納しておく際、その収納場所における仕切板による占有面積が大きくなってしまうという問題があった。
【０００４】
この発明は、このような従来技術に存在する問題点に着目してなされたものである。その目的とするところは、仕切板を分割して、未使用時における仕切板を小型化して仕切板用の収納スペースを小さくすることができるゴミ容器の仕切板、及びその仕切板を備えたゴミ容器を提供することにある。
【０００５】
【課題を解決するための手段】
上記の目的を達成するために、請求項１に記載の発明のゴミ容器の仕切板は、上方に開口する有底箱状の容器本体の内部空間を仕切るゴミ容器の仕切板であって、複数の分割体に分割構成され、各分割体は、連結部によって上下方向に連結可能に構成されているとともに係止部及び被係止部によって該分割体の厚み方向に重ね合わせた状態で係止可能に構成されているものである。
【０００７】
請求項２に記載の発明のゴミ容器は、上方に開口する有底箱状の容器本体と、前記容器本体の内部空間を仕切る仕切板と、前記容器本体の開口を開閉可能にする蓋体とを備えたゴミ容器であって、前記仕切り板は複数の分割体に分割構成され、各分割体は、連結部によって上下方向に連結可能に構成されているとともに係止部及び被係止部によって該分割体の厚み方向に重ね合わせた状態で係止可能に構成されており、前記蓋体の裏面には、重ね合わせて係止した状態の各分割体を収容できる裏面収容部を設け、前記蓋体には、前記裏面収容部に収容した各分割体を前記裏面収容部内に拘束する抜け出し規制部材を取り付けたものである。
【０００８】
【発明の実施の形態】
以下、この発明をゴミ容器の仕切板に具体化した一実施形態を図面に基づいて詳細に説明する。
【０００９】
図１に示すように、ゴミ容器１１は、有底四角箱状をなす容器本体１２と、その容器本体１２の内部空間を仕切る仕切板１３とを備えたものである。
まず、容器本体１２について説明すると、図２に示すように、合成樹脂製の容器本体１２の平面長方形状をなす底壁１４の周縁には各辺に対応する側壁１５〜１８が上方に向けて底壁１４に対し若干拡がって立設されている。前記底壁１４の上面において、底壁１４の両長辺の中央部を通過する直線を挟んだ位置には、一対の膨出部１９が所定間隔をおいて突設されている。両膨出部１９の対向する面はそれぞれ底壁１４側へ向かうに従い下方へ傾斜して傾斜面１９ａが形成されている。また、傾斜面１９ａ間には底壁１４の短辺に対して平行に延びる係合凹条２０が形成されている。その係合凹条２０には前記仕切板１３の下端部が係合可能になっている。
【００１０】
前記各側壁１５〜１８のうち、前側壁１５（図２では下側）と後側壁１６（図２では上側）は前記底壁１４の長辺に対応し、左側壁１７（図２では左側）と右側壁１８（図２では右側）とは底壁１４の短辺に対応して各々互いに対向して設けられている。そして、各側壁１５〜１８の上端部によって容器本体１２には上方に開口する開口部が形成されている。
【００１１】
図１及び図４に示すように、容器本体１２の開口端部の内周面には容器本体１２の内方へ水平に延びる支持面２１が突設されている。図２に示すように、前後両側壁１５，１６に位置する支持面２１には係合凹部２２が下方へ凹設され、各係合凹部２２には前記仕切板１３の上部両端部が係合可能になっている。図４に示すように、前記支持面２１より下部側の容器本体１２の中間部内周面には、係合段差２３が内方へ突出して形成されている。
【００１２】
次に、仕切板１３について説明する。図４に示すように、仕切板１３は、合成樹脂材料により容器本体１２の左側壁１７及び右側壁１８と相似形状に形成されている。仕切板１３は第１分割体１３ａと第２分割体１３ｂとを連結して構成されている。
【００１３】
図３に示すように、前記第１分割体１３ａは略逆台形状に形成され、その外周縁には周縁リブ２４が第１分割体１３ａの前後方向へ突設されている。また、第１分割体１３ａの上端部の周縁リブ２４の下部には、周縁リブ２４を左右方向へ連結する横リブ２５が形成され、横リブ２５と周縁リブ２４との間は縦リブ２６により上下方向に連結されている。第１分割体１３ａの左右両側の周縁リブ２４には、第１分割体１３ａの下方へ向かうに従い内方へ傾斜して係合段部２７が形成され、その係合段部２７は前記容器本体１２の係合段差２３に係合可能になっている。
【００１４】
第１分割体１３ａの上部両側部には係合凸部２８が突設され、その係合凸部２８は前記係合凹部２２に係合可能になっている。前記横リブ２５の下面の両側部には、第１分割体１３ａと第２分割体１３ｂとを重ね合わせた状態で仮固定する仮固定部の係止部としての第１突部２９がそれぞれ下方へ突設されている。第１分割体１３ａの下端部の周縁リブ２４の上面には前記仮固定部の係止部としての第２突部３０が形成されている。また、第１分割体１３ａの下端部の周縁リブ２４の下面両側部には、それぞれ第１分割体１３ａと第２分割体１３ｂとを連結可能にする連結部としての連結突部３１が形成されている。各連結突部３１の前後両面には、それぞれ係合部としての連結突起３２が外方へ突設されている。
【００１５】
次いで、第２分割体１３ｂについて説明すると、第２分割体１３ｂは略逆台形状に形成され、その外周縁には周縁リブ２４が第２分割体１３ｂの前後方向へ突設されている。また、第２分割体１３ｂの上端部の周縁リブ２４の両側部にはそれぞれ連結凹部３３が形成され、各連結凹部３３には前記連結突部３１が内嵌可能及び第１突部２９が係止可能になっているとともに、各連結凹部３３が前記連結部及び仮固定部の被係止部として形成されている。
【００１６】
各連結凹部３３の前後両面にはそれぞれ被係合部としての連結孔３４が形成され、各連結孔３４には前記連結突起３２が係合可能になっている。第２分割体１３ｂの下端部の周縁リブ２４の下面中央部には、図３に破線で示すように、前記仮固定部の被係止部としての固定溝３５が上方へ凹設され、その固定溝３５には前記第２突部３０が係止可能になっている。
【００１７】
そして、第１分割体１３ａの両連結突部３１を第２分割体１３ｂの連結凹部３３に内嵌し、各連結突起３２をそれぞれ対応する連結孔３４に係合することにより、図４に示すように、第１分割体１３ａと第２分割体１３ｂとを連結部により連結して仕切板１３を構成することができるようになっている。その仕切板１３を容器本体１２内に収容し、図４に破線で示すように、仕切板１３の下端部を底壁１４の係合凹条２０に係合し、係合段部２７を容器本体１２の係合段差２３に係合する。さらに、係合凸部２８を容器本体１２の係合凹部２２に係合することにより、仕切板１３の上部、中間部及び下部が容器本体１２に係合して、仕切板１３の容器本体１２内での横方向への移動が規制されるようになっている。図１に示すように、仕切板１３の容器本体１２内での収容状態において、その仕切板１３により容器本体１２の内部空間を、長さ方向で２つに仕切ることができるようになっている。
【００１８】
また、第１及び第２分割体１３ａ、１３ｂに分割された状態において、第１分割体１３ａの両第１突部２９をそれぞれ第２分割体１３ｂの連結凹部３３に係止して両分割体１３ａ、１３ｂを連結するとともに、第２突部３０を固定溝３５に係止する。その結果、図５に示すように、各分割体１３ａ、１３ｂを重ね合わせた状態で仮固定することができ、両分割体１３ａ、１３ｂの分離を規制するようになっている。
【００１９】
図１に示すように、容器本体１２には、その開口を開閉可能に閉塞する蓋体３６が取り付けられる。その蓋体３６の天板３６ａには、２つに仕切られた容器本体１２の内部空間にそれぞれ対応する収容開口部３６ｂが形成されている。また、天板３６ａには各収容開口部３６ｂの開口を開閉可能にする開閉蓋３７がそれぞれ基端部を中心に回動可能に取り付けられている。蓋体３６の両短辺側にはそれぞれロック部材３８が、その基端部を中心に回動可能に支持されている。そして、蓋体３６により、容器本体１２の開口部を閉塞し、各ロック部材３８により蓋体３６を開放不能にロックすることができるようになっている。
【００２０】
また、図５に示すように、蓋体３６の裏面には前記仮固定状態にある第１及び第２分割体１３ａ、１３ｂを収容可能な裏面収容部３９が形成されている。そして、その裏面収容部３９内での両分割体１３ａ、１３ｂの収容状態で、図５に２点鎖線で示すように、抜け出し規制部材としてのボール紙４０で蓋体３６と両分割体１３ａ、１３ｂを被覆することにより両分割体１３ａ、１３ｂを裏面収容部３９内に拘束することができるようになっている。
【００２１】
次に、上記構成のゴミ容器１１の使用方法について以下に記載する。
まず、容器本体１２の内部空間を仕切って使用する際は、図３に示すように、第１分割体１３ａと第２分割体１３ｂとにおいて、連結突部３１を連結凹部３３に内嵌し、各連結突起３２をそれぞれ対応する連結孔３４に係合して図４に示す仕切板１３を構成するとともに、その仕切板１３を容器本体１２内に収容する。このとき、仕切板１３の上部、中間部及び下部が容器本体１２に係合して、仕切板１３の容器本体１２内での横方向への移動が規制される。そして、図１に示すように、仕切板１３により容器本体１２の内部空間が長さ方向で２つに仕切られる。
【００２２】
次いで、２つに仕切られた空間に図示しないゴミ袋をそれぞれ収容して装着する。さらに、図６に示すように、蓋体３６を容器本体１２の上部に装着して、容器本体１２の上部開口を蓋体３６により閉塞する。そして、ゴミ容器１１の各開閉蓋３７を上方へ回動させて収容開口部３６ｂの開口を開放し、ゴミを容器本体１２内へ分別して投入する。
【００２３】
また、ゴミ容器１１の容器本体１２の内部空間を仕切板１３により仕切らずに使用する際は、仕切板１３を容器本体１２から取り外す。次いで、各連結突起３２と対応する連結孔３４との係合を解除し、さらに、連結突部３１と連結凹部３３との嵌合を解除して仕切板１３を第１分割体１３ａと第２分割体１３ｂとに分割する。
【００２４】
続いて、仕切板１３が第１分割体１３ａと第２分割体１３ｂとに分割された状態において、第１突部２９と連結凹部３３との係止及び第２突部３０と固定溝３５との係止により、両分割体１３ａ、１３ｂを重ね合わせた状態で仮固定する。その仮固定状態において、仕切板１３の長さ方向の長さの約半分になっている。
【００２５】
また、蓋体３６を使用しないときは、図５に示すように、仮固定状態にある第１及び第２分割体１３ａ、１３ｂを蓋体３６の裏面収容部３９に収容し、図５に２点鎖線で示すように、ボール紙４０で蓋体３６と両分割体１３ａ、１３ｂを被覆して仮収容する。その結果、蓋体３６の収納スペースに仕切板１３が収容される。
【００２６】
前記の実施形態によって発揮される効果について、以下に記載する。
（１）  仕切板１３は、第１分割体１３ａと第２分割体１３ｂとを連結して構成され、仕切板１３の未使用時には、第１及び第２分割体１３ａ、１３ｂとに分割することができる。そのため、各分割体１３ａ、１３ｂへの分割状態において、仕切板１３の長さ方向への長さを約半分にすることができる。従って、例えば非分割の仕切板を倉庫に収納する場合と異なり、仕切板１３を小型化して倉庫内における仕切板１３の長さ方向への収納スペースを小さくすることができる。
【００２７】
（２）  第１分割体１３ａの連結突部３１を第２分割体１３ｂの連結凹部３３に内嵌し、各連結突起３２を対応する連結孔３４に係合して連結部により連結して仕切板１３を構成することができる。従って、仕切板１３を容易に構成することができ、両分割体１３ａ、１３ｂの連結手段を別体で設ける場合と異なり、両分割体１３ａ、１３ｂの連結作業を容易に行うことができる。
【００２８】
（３）  連結突部３１の前後両面に形成された連結突起３２が、連結凹部３３の前後両面に形成された連結孔３４にそれぞれ係合する。そのため、連結部において連結突起３２及び連結孔３４の係合状態を効果的に維持して、仕切板１３が分割するのを規制することができる。
【００２９】
（４）  第１分割体１３ａの両第１突部２９と第２分割体１３ｂの連結凹部３３との係止及び第２突部３０と固定溝３５との係止により、第１分割体１３ａと第２分割体１３ｂとを重ね合わせた状態で仮固定することができる。そのため、その仮固定により第１分割体１３ａと第２分割体１３ｂが容易に分離するのを防止することができ、両分割体１３ａ、１３ｂの運搬作業等を容易に行うことができる。また、第１分割体１３ａと第２分割体１３ｂとが容易に分離しないため、両分割体１３ａ、１３ｂのうちのいずれか一方が紛失してしまうというおそれをなくすことができる。加えて、仕切板１３の未使用時には両分割体１３ａ、１３ｂは一対で組付けられているため、仕切板１３の使用時に各分割体１３ａ、１３ｂをそれぞれ別々に容易にする必要がなく、即座に仕切板１３を形成することができる。
【００３０】
（５）  仮固定部は第１及び第２分割体１３ａ、１３ｂそれぞれに一体形成されているため、仮固定部を各分割体１３ａ、１３ｂと別体で設ける場合と異なり、両分割体１３ａ、１３ｂの仮固定作業を容易に行うことができる。また、第１突部２９が係合可能な連結凹部３３は連結部と兼用されるため、仮固定部を連結部と別に設ける場合と比較して、仕切板１３の材料の節約を図ることができる。
【００３１】
（６）  蓋体３６の未使用時に、蓋体３６の裏面収容部３９に仮固定状態にある第１及び第２分割体１３ａ、１３ｂを収容することができる。従って、蓋体３６と両分割体１３ａ、１３ｂとを別々に収納場所に収納する場合と異なり、その収納場所における蓋体３６及び両分割体１３ａ、１３ｂの収納スペースを小さくすることができる。
【００３２】
（７）  蓋体３６の裏面収容部３９に仮固定状態にある第１及び第２分割体１３ａ、１３ｂを収容し、ボール紙４０で蓋体３６と両分割体１３ａ、１３ｂを拘束することにより、蓋体３６と両分割体１３ａ、１３ｂとが分離するのを防止することができる。従って、蓋体３６及び両分割体１３ａ、１３ｂの収納状態が崩れて収納場所における収納スペースが大きくなるといった不具合を防止することができる。
【００３３】
なお、本実施形態は、次のように変更して具体化することも可能である。
・  実施形態ではボール紙４０を使用して、蓋体３６と両分割体１３ａ、１３ｂを拘束したが、抜け出し規制部材としてゴムバンド、ビニールテープ、ひも、粘着テープ等を使用してもよい。また、抜け出し規制部材を使用せずに、蓋体３６の裏面収容部３９に仮固定状態にある第１及び第２分割体１３ａ、１３ｂを収容してもよい。
【００３４】
・  第１分割体１３ａの第２突部３０を省略し、その位置に固定溝３５を凹設する。第２分割体１３ｂの固定溝３５を省略し、その位置に第２突部３０を突設する。そして、第１分割体１３ａの両第１突部２９と第２分割体１３ｂの連結凹部３３との係止及び第１分割体１３ａの固定溝３５と第２分割体１３ｂの第２突部３０との係止により、両分割体１３ａ、１３ｂを重ね合わせた状態で仮固定してもよい。
【００３５】
・  第１分割体１３ａの両連結突部３１を省略し、その位置に連結凹部３３をそれぞれ凹設するとともに、各連結凹部３３にそれぞれ連結孔３４を形成する。第２分割体１３ｂの両連結凹部３３を省略し、その位置に連結突部３１をそれぞれ突設するとともに、各連結突部３１にそれぞれ連結突起３２を形成する。そして、第１分割体１３ａの連結凹部３３に第２分割体１３ｂの連結突部３１を内嵌するとともに、各連結突起３２をそれぞれ連結孔３４に係合して連結部によって両分割体１３ａ、１３ｂを連結してもよい。また、連結突起３２及び連結孔３４をそれぞれ省略し、連結突部３１と連結凹部３３との内嵌状態のみにより両分割体１３ａ、１３ｂを連結してもよい。
【００３６】
・  第１分割体１３ａの両連結突部３１の前後の連結突起３２のうちのいずれか一方を省略し、いずれか一方の連結突起３２に対応するように第２分割体１３ｂの両連結凹部３３の前後の連結孔３４のうちのいずれか一方を省略してもよい。
【００３７】
・  蓋体３６を使用せずに、容器本体１２の開口を開放したままにしてゴミ容器１１を使用してもよい。また、図７に示すように、２つの収容開口部３６ｂ及び各収容開口部３６ｂを閉塞する開閉蓋３７を省略した蓋体３６を使用して容器本体１２の開口を開閉可能に閉塞してもよい。加えて、図８に示すように、２つの収容開口部３６ｂ及び各収容開口部３６ｂを閉塞する開閉蓋３７を省略し、天板３６ａに把持部４１を備えた蓋体３６を使用して容器本体１２の開口を開閉可能に閉塞してもよい。
【００３８】
・  一対の第１突部２９のうちのいずれか一方を省略してもよい。また、第２突部３０を２箇所以上に形成し、第２分割体１３ｂに各第２突部３０に対応するように固定溝３５を２箇所以上に形成してもよい。また、第１突部２９、第２突部３０及び固定溝３５を省略して仮固定部を省略し、両分割体１３ａ、１３ｂを仮固定しない状態で蓋体３６の裏面収容部３９に収容してもよい。
【００３９】
・  第１分割体１３ａの両連結突部３１及び第２分割体１３ｂの両連結凹部３３を省略する。そして、第１分割体１３ａの下端部の周縁リブ２４及び第２分割体１３ｂの上端部の周縁リブ２４を貫通してボルトを挿通し、そのボルトにナットを螺合して連結部を構成し、その連結部により両分割体１３ａ、１３ｂを連結してもよい。また、ボルトの代わりに釘、ビス等により連結部を形成して両分割体１３ａ、１３ｂを連結してもよい。加えて、第１分割体１３ａの下端部の周縁リブ２４の下面と第２分割体１３ｂの上端部の周縁リブ２４の上面との間を粘着テープにより接合して連結部を構成し、その連結部により両分割体１３ａ、１３ｂを連結してもよい。
【００４０】
・  実施形態では仕切板１３により容器本体１２の内部空間をその長さ方向を仕切ったが、容器本体１２の内部空間をその幅方向に仕切ってもよい。容器本体１２内に仕切板１３を１つ設けたが、２つ以上設けてもよい。
【００４１】
・  実施形態では、第１及び第２分割体１３ａ、１３ｂにより仕切板１３を形成したが、３つ以上の分割体を連結部により連結して仕切板１３を形成してもよい。
【００４２】
さらに、前記実施形態より把握できる技術的思想について以下に記載する。
・  前記連結部は各分割体に一体形成されるとともに、凹凸の関係で互いに係合可能な係合部と被係合部である請求項１〜請求項３のいずれか一項に記載のゴミ容器の仕切板。このように構成した場合、隣接する分割体同士を連結部により容易に連結して仕切板を容易に構成することができ、連結部を分割体とは別体で設ける場合と異なり、各分割体の連結作業を容易に行うことができる。
【００４３】
・  前記仮固定部は各分割体に一体形成されるとともに、凹凸の関係で互いに係止可能な係止部と被係止部である請求項２又は請求項３に記載のゴミ容器の仕切板。このように構成した場合、係止部の被係止部に対する係止により、重ね合わせた状態の各分割体を容易に仮固定することができる。また、仮固定部を分割体とは別体で設ける場合と異なり、各分割体の仮固定作業を容易に行うことができる。
【００４４】
・  前記各分割体は、重ね合わせて仮固定されるとともに、蓋体の裏面収容部に収容された状態において、裏面収容部からの抜け出しを規制すべく抜け出し規制部材により拘束される請求項３に記載のゴミ容器の仕切板。このように構成した場合、蓋体と各分割体とが分離するのを防止することができる。従って、蓋体及び各分割体の収納状態が崩れて収納場所における収納スペースが大きくなるといった不具合を防止することができる。
【００４５】
【発明の効果】
以上詳述したように、この発明によれば、次のような効果を奏する。
請求項１に記載の発明のゴミ容器の仕切板によれば、仕切板を分割して、未使用時における仕切板を小型化して仕切板用の収納スペースを小さくすることができる。
【００４６】
また、係止部及び被係止部により重ね合わせた状態の各分割体が容易に分離するのを防止することができ、各分割体の運搬作業等を容易に行うことができる。
【００４７】
請求項２に記載の発明のゴミ容器によれば、請求項１に記載の仕切板の発明の効果に加え、蓋体の裏面収容部に各分割体を収容することができる。
【図面の簡単な説明】
【図１】  実施形態のゴミ容器及び蓋体を示す分解斜視図。
【図２】  実施形態の容器本体を示す平面図。
【図３】  仕切板を構成する第１及び第２分割体を示す分解斜視図。
【図４】  容器本体内に仕切板を収容した状態を示す側断面図。
【図５】  蓋体の裏面収容部に両分割体を収容した状態を示す底面図。
【図６】  実施形態のゴミ容器に蓋体を装着した状態を示す斜視図。
【図７】  別例の蓋体を示す部分斜視図。
【図８】  別例の蓋体を示す部分斜視図。
【符号の説明】
１１…ゴミ容器、１２…容器本体、１３…仕切板、１３ａ…第１分割体、１３ｂ…第２分割体、２９…仮固定部を構成する第１突部、３０…仮固定部を構成する第２突部、３１…連結部を構成する連結突部、３２…連結部を構成する連結突起、３３…連結部を構成する連結凹部、３４…連結部を構成する連結孔、３５…仮固定部を構成する固定溝、３６…蓋体、３９…裏面収容部。
【図１】
0004430201.tif 000002
【図２】
0004430201.tif 000003
【図３】
0004430201.tif 000004
【図４】
0004430201.tif 000005
【図５】
0004430201.tif 000006
【図６】
0004430201.tif 000007
【図７】
0004430201.tif 000008
【図８】
0004430201.tif 000009